(57)【要約】      （修正有）【課題】従来のスプリンクラヘッド用保護具は、火災により落下して動作信号を電線に出力するカバーを備えた設置工事後のスプリンクラヘッド取り付けようとするときは、動作信号出力用の電線を一旦切り離す必要があった。火災により落下して動作信号を電線に出力するカバーを備えたスプリンクラヘッドを設置工事した後であっても、動作信号出力用の電線を切り離すことなく、スプリンクラヘッドに取り付けることができるスプリンクラヘッド用保護具を得ることを目的とする。【解決手段】スプリンクラヘッド用保護具１において、スプリンクラヘッドへ固定する略円筒状の固定部１ｄと、その固定部１ｄの下部に設けられ、天井板下面に接して設置されてスプリンクラヘッド本体とともに天井板の貫通口を覆い隠す円盤部１ｃと、円盤部１ｃの下面に立設された支柱１ｂの下端に設けられる略リング状のガード部１ａとに、電線を通す為の切り欠き部１ｅを設けた。【選択図】図１
2013005863.tif 000002
【特許請求の範囲】
【請求項１】
略円筒状の固定部と、該固定部の下部に設けられ、天井板下面に接して設置されてスプリンクラヘッド本体とともに天井板の貫通口を覆い隠す円盤部と、該円盤部下面に立設される複数の支柱と、該支柱の下端に設けられる略リング状のガード部と、を備え、火災により落下して動作信号を電線に出力するカバーを備えたスプリンクラヘッドに取り付けて該スプリンクラヘッドを保護するスプリンクラヘッド用保護具であって、
前記固定部と、前記円盤部と、前記ガード部とに、前記電線を通す切り欠き部を設けたことを特徴とするスプリンクラヘッド用保護具。
【請求項２】
前記円盤部の切り欠き部は、前記円盤部の上端と下端からその円周方向へそれぞれ立設される上下の突出片を備えることを特徴とする請求項１記載のスプリンクラヘッド用保護具。
【発明の詳細な説明】
【技術分野】
【０００１】
本発明は、スプリンクラ消火設備のスプリンクラヘッド用保護具に関し、特に、火災により落下して動作信号を出力するカバーを備えたスプリンクラヘッド用の保護具に関する。
【背景技術】
【０００２】
従来、スプリンクラ消火設備のスプリンクラヘッドを、物や人が衝突する虞があるような場所に設置する場合、スプリンクラヘッドが破損して漏水事故を起こさぬように、スプリンクラヘッド用ガード等と呼ばれる保護具をスプリンクラヘッド先端部に設ける場合がある。このようなスプリンクラヘッド用保護具は、概して、スプリンクラヘッドへ取り付ける為の円筒状固定部と、該固定部の下部に設けられて天井板下面に接して設置されることによって天井板の貫通部を覆う円盤部と、該円盤部下面に立設される複数の支柱と、該支柱の下端に連結されるリング状ガード部とで構成されている。（例えば非特許文献１参照）
【先行技術文献】
【非特許文献】
【０００３】
【非特許文献１】http://www.senjusp.com/items/guard.htm
【発明の概要】
【発明が解決しようとする課題】
【０００４】
ところで、特開２００３−２７５３３７号公報に開示したような、火災により落下して動作信号を電線に出力するカバーを備えたスプリンクラヘッドがある。このようなコンシールド型と呼ばれるカバー付きのスプリンクラヘッドは、物や人がぶつかってもカバーがスプリンクラヘッド本体を保護するので、スプリンクラヘッドの破損による漏水事故が起き難いが、火災によりカバーが落下して動作信号を出力するものは、火災でない場合でも衝突によってカバーが落下して動作信号を出力してしまうことがあり、設置する場所によってはスプリンクラヘッド用保護具で保護したい場合がある。ところが、このようなスプリンクラヘッドは動作信号出力用の電線を有するので、設置工事後のスプリンクラヘッドに従来のスプリンクラヘッド用保護具を取り付けようとするときは、結線工事された動作信号出力用の電線を一旦切り離す必要があり、電線を取り外す作業を伴うスプリンクラヘッド保護具の設置工事が面倒であった。
【０００５】
本発明は、スプリンクラヘッド保護具の設置工事における上記面倒を解決するためになされたものであり、火災により落下して動作信号を電線に出力するカバーを備えたスプリンクラヘッドに、設置工事した後であっても動作信号出力用の電線を切り離すことなく、取り付けることができるスプリンクラヘッド用保護具を得ることを目的とする。
【課題を解決するための手段】
【０００６】
本発明に係るスプリンクラヘッド用保護具は、略円筒状の固定部と、該固定部の下部に設けられ、天井板下面に接して設置されてスプリンクラヘッド本体とともに天井板の貫通口を覆い隠す円盤部と、該円盤部下面に立設される複数の支柱と、該支柱の下端に設けられる略リング状のガード部と、を備え、火災により落下して動作信号を電線に出力するカバーを備えたスプリンクラヘッドに取り付けて該スプリンクラヘッドを保護するスプリンクラヘッド用保護具であって、前記固定部と、前記円盤部と、前記ガード部とに、前記電線を通す切り欠き部を設けたことを特徴とする。
【０００７】
また、本発明に係るスプリンクラヘッド用保護具は、前記円盤部の切り欠き部は、前記円盤部の上端と下端からその円周方向へそれぞれ立設される上下の突出片を備えることを特徴とする。
【発明の効果】
【０００８】
本発明に係るスプリンクラヘッド用保護具は、請求項１に記載の構成によれば、火災により落下して動作信号を電線に出力するカバーを備えたスプリンクラヘッドを設置工事した後であっても、結線工事された動作信号出力用の電線を切り離すことなく、スプリンクラヘッドに取り付けることができる。また、請求項２に記載の構成によれば、天井面に設置した後のスプリンクラヘッドおよびスプリンクラヘッド用保護具をその下方から見上げても、切り欠き部を通して天井板の貫通口が見えることがないので美観に優れる。
【図面の簡単な説明】
【０００９】
【図１】実施の形態１に係るスプリンクラヘッド用保護具の構成図である。
【図２】実施の形態１に係るスプリンクラヘッド用保護具のスプリンクラヘッドへの取り付け方を説明する図である。
【図３】実施の形態１に係るスプリンクラヘッド用保護具を取り付けたスプリンクラヘッドの外観を示す図である。
【図４】実施の形態１に係るスプリンクラヘッドに取り付けたスプリンクラヘッド用保護具を天井面に設置した状態を示す図である。
【図５】実施の形態１に係るスプリンクラヘッド用保護具を取り付けたスプリンクラヘッドを天井面に設置した状態を示す天井部断面図である。
【図６】実施の形態２に係るスプリンクラヘッド用保護具の構成図である。
【図７】実施の形態３に係るスプリンクラヘッド用保護具の構成図である。
【発明を実施するための形態】
【００１０】
［実施の形態１］
図１乃至図４に基づいて、本発明の実施の形態１に係るスプリンクラヘッド用保護具について説明する。
【００１１】
まず図１を用いて、スプリンクラヘッド用保護具の構成について説明する。
【００１２】
本実施の形態１のスプリンクラヘッド用保護具１は、スプリンクラヘッドへ固定する略円筒形の固定部１ｄと、固定部１ｄの下部に設けられた円盤部１ｃと、円盤部１ｃの下面に立設された複数の支柱１ｂと、各支柱１ｂの下端に設けられた略リング状のガイド部１ａと、で構成され、これらは堅牢な素材（例えば、合成樹脂、マグネシウム合金、亜鉛ダイキャスト、等）を用いて、一体的に形成され、内部のスプリンクラヘッドを保護する。
【００１３】
固定部１ｄおよび円盤部１ｃは、その内部に取り付けるスプリンクラヘッドを貫通させるスプリンクラヘッド貫通口１ｇを有する。また、スプリンクラヘッドへ固定する為の複数の取付口１ｆを固定部１ｄの側部に有し、この複数の取付口１ｆを用いて、スプリンクラヘッド保護具１をスプリンクラヘッド貫通口１ｇ内のスプリンクラヘッドへ固定する。例えば、取付口１ｆを螺穴とし、取付口１ｆに取り付けた螺子によって、スプリンクラヘッド貫通口１ｇ内のスプリンクラヘッドを挟持して固定しても良い。
【００１４】
固定部１ｄ、円盤部１ｃ、および、ガイド部１ａは、スプリンクラヘッドの動作信号出力用電線を通すための切り欠き部１ｅを、その周縁の同一方向に各一箇所ずつ備え、設置工事後のスプリンクラヘッドであっても、結線工事後の前記電線を切り離すことなく、切り欠き部１ｅを通すことができる。
【００１５】
なお、円盤部１ｃにおける切り欠き部１ｅは、円盤部１ｃの上端と下端から円盤部１ｃの円周方向へそれぞれ立設される上側突出片１ｅｕと下側突出片１ｅｌとが設けられる。本実施の形態においては、切り欠き部１ｅの円盤部１ｃ部分の断面両側から、異なる高さで円周方向に各１枚立設され、円盤部１ｃを離間させている切り欠き部１ｅの中間点を超えて突出させた２枚の略平行な突出片１ｅｕおよび１ｅｌとで、クランク状の溝を形成することによって、実現している。このように構成することによって、切り欠き部１ｅの下方からその背面を見通すことが出来ないようになる。したがって、スプリンクラヘッド保護具１を設置したときに、スプリンクラヘッドを設置するために設けた天井板の貫通口が露出しないようにすることができる。
【００１６】
次に、図２および図３を用いて、本実施の形態におけるスプリンクラヘッド保護具１を、保護しようとするスプリンクラヘッドに取り付ける方法を説明する。
【００１７】
保護しようとする、火災により落下して動作信号を電線に出力するカバーを備えたスプリンクラヘッドは、スプリンクラヘッド本体３と、動作信号出力部付きコンシールド部２とで構成され、これらは互いに取り外すことが可能となっている。また、動作信号出力部付きコンシールド部２は、カバー２ａと、動作信号出力部２ｂとを有し、さらに動作信号出力部２ｂは動作信号出力用の電線２ｃを有する（図２参照）。
【００１８】
保護しようとするスプリンクラヘッドが設置工事済であった場合、スプリンクラヘッド保護具１を取り付ける前に、スプリンクラヘッド本体３から動作信号出力部付きコンシールド部２を、まず分離する。このとき、電線２ｃは結線工事後であるので、天井板の貫通口から動作信号出力部付きコンシールド部２が電線２ｃでぶら下がった状態となる。この電線２ｃをスプリンクラヘッド保護具１の切り欠き部１ｅを通し、動作信号出力部付きコンシールド部２とともに、スプリンクラヘッド保護具１内のスプリンクラヘッド貫通部１ｇへ挿入する（図２参照）。
【００１９】
そして、円盤部１ｃの内側に形成された台座部分に動作信号出力部付きコンシールド部２を着座させ、螺穴であるスプリンクラヘッド保護具の複数の取付口１ｆへ螺子を挿入し、これで動作信号出力部付きコンシールド部２を挟持して固定する。さらに、これをスプリンクラヘッド本体３へ取り付けて、スプリンクラヘッドへのスプリンクラヘッド保護具１の取り付けが完了する（図３参照）。
【００２０】
次に、図４および図５を用いて、本実施の形態におけるスプリンクラヘッド保護具１をスプリンクラヘッドに取り付けた状態を説明する。
【００２１】
天井板ＣＰに設置された、動作信号出力部付きコンシールド部２を備えたスプリンクラヘッドに、スプリンクラヘッド保護具１を取り付けると、動作信号出力部付きコンシールド部２のカバー２ａは、スプリンクラヘッド保護具１によって、保護される。また、電線２ｃを通す為に設けた切り欠き部１ｅは、切り欠き部両側から突設させた上下２枚の板状部材である突出片１ｅｕと１ｅｌとが互いに相手側の切り欠き部を覆い隠すので、その背後にある天井面が見えないようになる（図４参照）。
【００２２】
天井板ＣＰの上方に設けられる給水配管（立ち下がり配管）Ｐに接続するスプリンクラヘッドを設置する為に、天井板ＣＰに開口させた天井板貫通口Ｈが、スプリンクラヘッド本体のコンシールド部２とスプリンクラヘッド保護具１の円盤部１ｃとによって覆い隠される（図５参照）。したがって、切り欠き部１ｅの背後を見通せないようにしたことによって、天井板貫通口Ｈが天井板ＣＰ下方の室内に露呈することがなく、美観を損なわないようにすることができる。
［実施の形態２］
図６に基づいて、本発明の実施の形態に係るスプリンクラヘッド用保護具について説明する。実施の形態１と同じものは同一の符号を付して説明を省略する。
【００２３】
本実施の形態に係るスプリンクラヘッド用保護具１０が、実施の形態１に係るスプリンクラヘッド用保護具１と異なる点は、実施の形態１における円盤部１ｃの切り欠き部１ｅに相当する、円盤部１０ｃの切り欠き部１０ｅの形状にある。
【００２４】
実施の形態１と同様に、円盤部１０ｃにおける切り欠き部１０ｅは、円盤部１０ｃの上端と下端から円盤部１０ｃの円周方向へそれぞれ立設される上側突出片１０ｅｕと下側突出片１０ｅｌとが設けられる。本実施の形態においては、切り欠き部１０ｅの円盤部１０ｃ部分の断面両側から円周方向に各１つ立設され、円盤部１０ｃを離間させている切り欠き部１０ｅの中間点を超えて突出させた２つの部材が、異なる高さに頂点を結び、切り欠き部１０ｅの下方から上方に向かって直線的に斜めの溝を形成することによって、実現している。このように構成することによって、切り欠き部１０ｅの下方からその背面を見通すことが出来ないようになる。したがって、スプリンクラヘッド保護具１を設置したときに、スプリンクラヘッドを設置するために設けた天井板の貫通口が露出しないようにすることができる。
【００２５】
その他は実施の形態１と同様であるので説明を省略する。
［実施の形態３］
図７に基づいて、本発明の実施の形態に係るスプリンクラヘッド用保護具について説明する。実施の形態１と同じものは同一の符号を付して説明を省略する。
【００２６】
本実施の形態に係るスプリンクラヘッド用保護具１００が、実施の形態１に係るスプリンクラヘッド用保護具１と異なる点は、実施の形態１における取付口１ｆが、円盤部１ｃに相当する円盤部１００ｃに設けられた取付口１００ｆとなった点にある。
【００２７】
すなわち、実施の形態１および２では、スプリンクラヘッド保護具１および１０は、保護しようとするスプリンクラヘッドに取り付けるのであるが、本実施の形態では、スプリンクラヘッド保護具１００は、保護しようとするスプリンクラが設置された天井板ＣＰに取り付ける。このように構成することによって、天井裏での作業が困難であっても、スプリンクラヘッド保護具１００を設置することが可能となる。
【００２８】
その他は実施の形態１と同様であるので説明を省略する。
【符号の説明】
【００２９】
１、１０、１００  スプリンクラヘッド用保護具、  １ａ  ガード部、
１ｂ  支柱、  １ｃ、１０ｃ、１００ｃ  円盤部、１ｄ  固定部、
１ｅ、１０ｅ  切り欠き部、  １ｅｕ、１ｅｌ、１０ｅｕ、１０ｅｌ  突出片、
１ｆ、１０ｆ、１００ｆ  取付口、  １ｇ  スプリンクラヘッド貫通部、
２  動作信号出力部付きコンシールド部、  ２ａ  カバー、
２ｂ  動作信号出力部、  ２ｃ  電線、  ３  スプリンクラヘッド本体、
ＣＰ  天井板、  Ｐ 給水管（立ち下がり配管）、
Ｈ  天井板貫通口
【図１】
2013005863.tif 000003
【図２】
2013005863.tif 000004
【図３】
2013005863.tif 000005
【図４】
2013005863.tif 000006
【図５】
2013005863.tif 000007
【図６】
2013005863.tif 000008
【図７】
2013005863.tif 000009